(57)【特許請求の範囲】
【請求項１】
複数のファイルが存在する第１の記録媒体から交換可能な第２の記録媒体にデータをコピーするデータ記録装置であって、
前記第２の記録媒体を交換するたびに、前記第１の記録媒体の全コピー対象ファイルの、少なくともコピー順序を含んだ一覧リストを作成するコピーリスト作成手段と、
前記コピーリスト作成手段により作成された一覧リストのコピー順序に従って、前記第１の記録媒体に含まれるファイルを順次、前記第１の記録媒体から前記第２の記録媒体にデータコピーするコピー手段と、
前記コピー手段によって、所定のファイルをコピーする際に、前記第２の記録媒体に前記所定のファイルを記録する記憶容量がないときには、コピーの進捗状況を示す情報を不揮発性の記憶手段に記録する進捗状況記録手段と、
を備え、
前記コピー手段は、前記不揮発性の記憶手段に前記コピーの進捗状況を示す情報が記録されているときには、前記コピーの進捗状況を示す情報及び前記一覧リストのコピー順序に基づいて、コピー未処理のファイルを順次、前記第１の記録媒体から前記第２の記録媒体にデータコピーする進捗状況反映手段を有することを特徴とするデータ記録装置。
【請求項２】
前記進捗状況反映手段は、前記コピーリスト作成手段により作成された一覧リストの中に、前記不揮発性の記憶手段に記録されたコピーの進捗状況を示す情報と同一の情報を有するファイルが存在するときには、データコピーすることを特徴とする請求項１記載のデータ記録装置。
【請求項３】
前記コピーの進捗状況を示す情報は、次にコピーするファイル又は最後にコピーしたファイルを一意に特定できる情報であることを特徴とする請求項１又は２記載のデータ記録装置。
【請求項４】
前記ファイルを一意に特定できる情報は、ファイル名称、ファイルの作成日時、及びファイルのデータサイズのうち、少なくとも１以上の情報であることを特徴とする請求項３記載のデータ記録装置。
【請求項５】
前記進捗状況記録手段は、前記第１の記録媒体の全コピー対象ファイルを前記第２の記録媒体にコピーしたときには、前記不揮発性の記憶手段に記録したコピーの進捗状況を示す情報を消去することを特徴とする請求項１乃至４のいずれか１項に記載のデータ記録装置。
【発明の詳細な説明】
【技術分野】
【０００１】
本発明は、複数の記録媒体間でデータのコピーが可能なデータ記録装置に関する。
【背景技術】
【０００２】
従来、デジタルカメラにおいては、撮影によって得られた画像データなどを記録するため、各種メモリカードが用いられている。このようなメモリカード内にある画像データを半永久的保存(バックアップ)する場合、例えば、ＣＤ−Ｒ（Compact Disk Recordable）やＤＶＤ−Ｒ（Digital Versatile Disk Recordable）などの光ディスクメディアを使用してバックアップすることは、有効な手段の１つである。
【０００３】
しかしながら、昨今においては大容量のメモリカードも存在しているため、メモリカード内のすべてのファイルを保存するには、光ディスクの架け替えが必要になる場合がある。また、ハードディスクに記録されたファイルを光ディスクに保存する場合にも同様に光ディスクの架け替えが必要となる場合がある。つまり、一枚のディスク容量を超える大容量のメモリカード(またはハードディスク) からファイルを保存する場合には、保存用の光ディスクが複数枚必要となり、光ディスクの入れ替えが発生する。
【０００４】
このような場合、コピー先の光ディスクの空き容量が、コピー元のファイルの合計容量より少ないときには、コピー先の光ディスクの容量が足りない旨の表示を行うとともに、コピー先の光ディスクの容量が一杯になったときには、光ディスクの交換を促して、コピー先の光ディスクが交換されると、続きからコピーを開始するという方法が一般に行われている。 これは、データコピーする装置（以下、データ記録装置という）の内部メモリ上に、コピー対象となる全ファイルを記したコピーリストとそのコピー進捗状況を記憶しておき、光ディスクが交換された場合には、内部メモリに記憶されたコピーリストとその進捗状況に基づいて、続きからコピーを再開させるものである。
【０００５】
尚、この出願に関連する先行技術文献情報としては、次のものがある。
【０００６】
【特許文献１】特開２０００−３１１１０６号公報
【非特許文献１】ソニー株式会社、“ＰＨＯＴＯ ＶＡＵＬＴ”、［ｏｎｌｉｎｅ］、［平成１７年１２月１５日検索］、インターネット＜ＵＲＬ： http://www.sony.net/Products/Media/Photovault/use.html＞
【発明の開示】
【発明が解決しようとする課題】
【０００７】
上述したようなデータ記録装置の場合、一旦、データ記録装置の電源をオフにすると、内部メモリ内の内容が初期化されるため、コピーリスト及びコピー進捗状況に関する情報が失われてしまい、データのコピーがうまくできないという問題がある。例えば、１枚目の光ディスクのコピー終了後、２枚目の光ディスクがない場合、光ディスクを買いに行くために、データ記録装置の電源を一旦切ってしまうと、続きからコピーができず、また、最初（１枚目）からコピーをしなければならいという問題がある。
【０００８】
本発明は、上記の問題を解決するためになされたものであり、その課題の一例としては、複数の記録媒体に分割してデータを記録する場合、記録媒体の交換時に電源を切ったとしても、続きからデータを記録することができるデータ記録装置を提供することにある。
【課題を解決するための手段】
【０００９】
上記の課題を達成するため、請求項１記載のデータ記録装置は、複数のファイルが存在する第１の記録媒体から交換可能な第２の記録媒体にデータをコピーするデータ記録装置であって、前記第２の記録媒体を交換するたびに、前記第１の記録媒体の全コピー対象ファイルの、少なくともコピー順序を含んだ一覧リストを作成するコピーリスト作成手段と、前記コピーリスト作成手段により作成された一覧リストのコピー順序に従って、前記第１の記録媒体に含まれるファイルを順次、前記第１の記録媒体から前記第２の記録媒体にデータコピーするコピー手段と、前記コピー手段によって、所定のファイルをコピーする際に、前記第２の記録媒体に前記所定のファイルを記録する記憶容量がないときには、コピーの進捗状況を示す情報を不揮発性の記憶手段に記録する進捗状況記録手段と、を備え、前記コピー手段は、前記不揮発性の記憶手段に前記コピーの進捗状況を示す情報が記録されているときには、前記コピーの進捗状況を示す情報及び前記一覧リストのコピー順序に基づいて、コピー未処理のファイルを順次、前記第１の記録媒体から前記第２の記録媒体にデータコピーする進捗状況反映手段を有することを特徴とする。
【発明を実施するための最良の形態】
【００１０】
以下、本発明の実施の形態を図面を用いて説明する。
【００１１】
図１は、本発明の実施の形態に係るデータ記録装置１の概略構成図である。図１に示すデータ記録装置１は、ユーザからの操作指示を受けて、コピー元の記録媒体（以下、コピー元媒体という）２からコピー先の記録媒体（以下、コピー先媒体という）３にデータをコピーするようになっている。
【００１２】
データ記録装置１は、携行可能な小型のデータ記録装置であり、例えば、具体的には、コピー元媒体２であるメモリカードからコピー先媒体３であるＤＶＤ（Digital Versatile Disk）にデータをコピーするフォトストレージが想定される。尚、本発明が適用されるデータ記録装置１は、勿論、フォトストレージに限定されるものではなく、異なる記録媒体間でのコピーが可能であって、物理的に交換可能な記録媒体をコピー先媒体３とする装置であれば、何であっても構わない。また、コピー元媒体２もメモリカードに限定されるものではなく、他の記録媒体でもよいし（外部媒体か内蔵している媒体かも問わず、例えば、ハードディスクであってもよい）、コピー先媒体３も、ＤＶＤに限定されるものではなく、物理的に交換可能な記録媒体（例えば、ＣＤ（Compact Disc）等）であれば何であってもよい。以下では、メモリカードからＤＶＤにデータをコピーするフォトストレージを好適な一例として説明する。
【００１３】
データ記録装置（フォトストレージ）１は、詳しくは、データ入力部１１、演算・制御部１２、データ出力部１３、及び記憶部１４を備えている。
【００１４】
データ入力部１１は、データ記録装置１に差し込まれたコピー元媒体２（メモリカード）から、データを入力する入力インターフェースである。演算・制御部１２は、ＣＰＵ等から構成され、外部記録媒体とのデータの入出力制御、データの転送、種々の演算、データの一時的な格納、記憶部１４とのデータの入出力制御などを行うようになっている。データ出力部１３は、データ記録装置１に装着されたコピー先媒体３（ＤＶＤ）にデータを出力（記録）する出力インターフェースである。
【００１５】
記憶部１４は、データを保存する記憶領域であり、電源を切っても内容が消えない不揮発性メモリ１５と、内蔵記録媒体としてのデータ記録部１６を具備する構成である。すなわち、ユーザの指示により、コピー元媒体２からコピー先媒体３に記録することも、コピー元媒体２からデータ記録部１６に記録することも可能である。また、データ記録部１６に記録されたデータをコピー先媒体３に記録することも可能である。
【００１６】
次に、図２を用いて、データ記録装置１の動作について説明する。ここで、図２は、コピー元媒体２からコピー先媒体３にデータをコピーする際の動作を示すフローチャートであるが、図２に示す処理は、１つのコピー先媒体３（１枚のＤＶＤ）に記録するときのフローチャートであり、複数の記録媒体に渡って、データをコピーするときは、図２に示す処理を複数回繰り返すこととなる。尚、図２に示す処理は、より詳しくは、データ記録装置１の演算・制御部１２のＣＰＵによって行われるものである。
【００１７】
まず、データ記録装置１に対して、コピー元媒体２からコピー先媒体３へのデータコピー指示があると、データ記録装置１は、差し込まれたコピー元媒体２の中身を参照して、コピーリストＬ１を作成する（ステップＳ１０）。ここで、コピーリストＬ１は、コピー元媒体２のコピー対象となるファイルの一覧リストであり、データ記録装置１は、このコピーリストＬ１を参照して、順次、コピー処理を行うようになっている。例えば、コピー元媒体２の全ファイルをコピーする場合であって、コピー元媒体２のフォルダ構成が図３（ａ）に示すような場合には、図３（ｂ）に示すようなコピーリストＬ１が作成される。すなわち、少なくとも、「コピー順序」、「ファイル名（ファイルの絶対パス名を含む）」が記載されたコピーリストが作成されるものである。
【００１８】
次に、まずコピー対象となるファイルは、コピー元媒体２のコピー順序が最初のファイルであるため、データ記録装置１は、ｎに１を設定する（ステップＳ２０）。（ｎは、上述したコピーリストＬ１のコピー順序に相当する）。
【００１９】
次に、データ記録装置１は、不揮発性メモリ１５内に進捗ポイントＰ１があるか否かを判定する（ステップＳ３０）。ここで、進捗ポイントＰ１は、コピーの進捗状況を示す情報であって、１枚の記録媒体にデータをコピーしきれない場合に不揮発性メモリ１５に記録されるようになっている。より詳しくは、進捗ポイントＰ１は、コピー先媒体３にデータ空き容量がないときに、次のコピー先媒体３（交換されたコピー先媒体３）には、どこのファイルからコピーすべきか（コピー順序が何番目のファイルからコピーするか）を示す情報となっている。図４に不揮発性メモリ１５に記録される進捗ポイントＰ１の一例を示す。図４に示す進捗ポイントＰ１は、ファイル名、撮影日時（ファイル作成日時）、及びファイルサイズを管理している。具体的には、図３（ｂ）に示すようなコピーリストＬ１が作成され、図４に示すような進捗ポイントＰ１が記録されたときには、現在のコピー先媒体３には、「コピー順序５のファイル名file005.jpgのファイル」まで、データコピーしたので、次のコピー先媒体３には、「コピー順序６のファイル名file006.jpgのファイル」からデータコピーすることとなる。
【００２０】
このように、本実施の形態では、１枚の記録媒体にデータがコピーしきれない場合であっても、進捗ポイントＰ１を不揮発性メモリ１５に記録するので、コピー先媒体３を交換時に、データ記録装置１の電源を落としたとしても、この進捗ポイントＰ１に関する情報は失われない。すなわち、電源を落とした後に、再度、データ記録装置１の電源を立ち上げても、データ記録装置１は、不揮発性メモリ１５に記録された進捗ポイントＰ１を基づいて、次にコピーすべきファイルが把握できるので、続きから正しくコピーすることができる。
【００２１】
不揮発性メモリ１５内に進捗ポイントＰ１がないとき、すなわち、コピー先媒体３が１枚目であるときは、コピー先媒体３にｎ番目（１番目）のファイルをコピーする空き容量があるか否かを判定する（ステップＳ４０）。コピー先媒体３にｎ番目（１番目）のファイルをコピーする空き容量があるときは、ｎ番目（１番目）のファイルをコピー先媒体３にコピーする（ステップＳ５０）。
【００２２】
次いで、データ記録装置１は、次のファイルをコピーすべく、ｎに１を加算して、加算した値をｎに設定し（ｎ＝２）（ステップＳ６０）、ｎ番目（２番目）のファイルがコピー元媒体２に存在するか否かを判定する（ステップＳ７０）。ｎ番目（２番目）のファイルがコピー元媒体２に存在するときは、ステップＳ４０に戻る。すなわち、ｎ番目（２番目）のファイルをコピーする空き容量がコピー先媒体３にあるか否か確かめて、コピーする空き容量があるときには、ｎ番目（２番目）のファイルをコピー先媒体３にコピーして、また、ｎに１を加算するものである。そして、以上のステップＳ４０〜Ｓ７０の処理をコピー先媒体３の空き容量がなくなるまで続ける。
【００２３】
尚、ステップＳ７０で、コピー元媒体２にｎ番目のファイルが存在しないとき、すなわち、コピー元媒体２のコピーすべきファイルをすべてコピーしたときは、以後、進捗ポイントＰ１を必要としないので、不揮発メモリ１５に記録された進捗ポイントＰ１を消去して、処理を終了する（ステップＳ８０）。
【００２４】
一方、以上のステップＳ４０〜Ｓ７０の処理を続けて、ステップＳ４０で、コピー先媒体３に空き容量がなくなったときには、データ記録装置１は、次にコピーすべきファイルのファイル名、作成日時及びデータサイズを進捗ポイントＰ１として不揮発メモリ１５に記録して（ステップＳ９０）、処理を終了する。
【００２５】
ステップＳ３０で不揮発メモリ１５内に進捗ポイントＰ１があるとき、すなわち、コピー先媒体３が２枚目以降であるときは、データ記録装置１は、進捗ポイントＰ１として記録されたファイルのファイル名、作成日時及びデータサイズを参照し、該当するファイルがコピーリストＬ１に存在するか否かを判定する（ステップＳ１００）。
【００２６】
進捗ポイントＰ１として記録されたファイルがコピーリストＬ１に存在する、すなわち、進捗ポイントＰ１として記録されたファイル名、作成日時及びデータサイズと一致するファイルがコピーリストＬ１の中に存在するときは、進捗ポイントＰ１に従って、ｎを修正する（ステップＳ１１０）。これは、次のコピー先媒体３を装着して、データ記録装置１のコピー処理を開始すると、ステップＳ２０に示すように、ｎ＝１となってしまい、また最初のファイルからコピーされてしまうので、進捗ポイントＰ１に基づいて、ｎの値を修正するものである。例えば、図３及び図４に示す具体例においては、ｎ＝６となる。次いで、データ記録装置１は、既述したステップＳ４０〜Ｓ９０を実行する。
【００２７】
一方、進捗ポイントＰ１として記録されたファイルがコピーリストＬ１に存在しないときは、データ記録装置１は、コピー元媒体２は別のメディア（進捗ポイントＰ１が記録されたときのコピー元媒体２とは別のメディア）と判断し、処理を終了する。
【００２８】
従って、本実施の形態のデータ記録装置１によれば、コピー元媒体２からコピー先媒体３にデータコピーするとき、コピー先媒体３に空きデータ容量がない場合には、進捗ポイントＰ１を不揮発メモリ１５上に記録し、新たに装着されたコピー先媒体３に対しては、進捗ポイントＰ１を参照してコピー処理を続行するので、コピー先媒体３の交換時に所定の事情でデータ記録装置１の電源を落としたとしても、続きからコピーすることができる。特に携行可能なデータ記録装置１においては、バッテリ動作時間に限りある場合が多く、不意な事情で電源を落とすことが考えられるので、特に有効である。
【００２９】
また、本実施の形態のデータ記録装置１によれば、不揮発メモリ１５上には、コピーリストＬ１を記録せず、進捗ポイントＰ１のみを記録するので、不揮発メモリ１５のメモリ容量を抑えることができる。これは、コピーリストＬ１を不揮発メモリ１５上に記録する方法の場合には、コピーするファイル数が膨大であると、コピーリストＬ１の容量も膨大となってしまうので、不揮発メモリ１５に割り付ける容量の見積もりが困難であるが、本実施の形態ではこのような問題を生ずることもなく、不揮発メモリ１５のメモリ容量を最小限に抑えることができるものである。
【００３０】
以上、本発明の実施の形態について説明してきたが、本発明の要旨を逸脱しない範囲において、本発明の実施の形態に対して種々の変形や変更を施すことができる。例えば、上記実施形態においては、進捗ポイントＰ１として、ファイルのファイル名、作成日時及びサイズを記録したが、これは、進捗ポイントＰ１の一例であって、ファイルを一意に識別可能な情報（単一の情報でも、情報の組み合わせでも、いずれでもよい）であれば何であってもよい。
【００３１】
また、上記実施形態においては、進捗ポイントＰ１のファイル情報を、次にコピーすべきファイルに関する情報としたが、これに限定されず、他の情報、例えば、最後にコピーしたファイルに関する情報としてもよい。この場合には、コピーリストＬ１上の進捗ポイントＰ１が指し示すファイルの次から、コピー処理を続行すればよい。また、進捗ポイントＰ１のファイル情報を、コピー元媒体の固有識別子（記録媒体を一意に識別可能な情報）及びコピー終了したファイル数としてもよい。
【００３２】
以上から、データ記録装置１は、コピー先媒体３を交換するたびに、コピー元媒体の全コピー対象ファイルの一覧リストであるコピーリストＬ１を作成するコピーリスト作成手段と、コピーリスト作成手段により作成されたコピーリストＬ１に従って、コピー元媒体２に含まれるファイルを順次、コピー元媒体２からコピー先媒体３にデータをコピーするコピー手段と、コピー手段によって、所定のファイルをコピーする際に、コピー先媒体３に所定のファイルを記録する記憶容量がないときには、コピーの進捗状況を示す情報である進捗ポイントＰ１を不揮発メモリ１５に記録する進捗状況記録手段と、を備え、コピー手段は、不揮発性メモリ１５に進捗ポイントＰ１が記録されているときには、進捗ポイントＰ１に基づいて、コピー未処理のファイルを順次、コピー元媒体２からコピー先媒体３にデータをコピーするので、複数の記録媒体に分割してデータを記録する場合、記録媒体の交換時に電源を切ったとしても、続きからデータを記録することができる。
【図面の簡単な説明】
【００３３】
【図１】本発明の実施の形態に係るデータ記録装置の概略構成を示す図である。
【図２】本発明の実施の形態に係るデータ記録装置のコピー動作を示すフローチャートである。
【図３】コピーリストの一例を示す図である。
【図４】本発明の実施の形態に係るデータ記録装置が記録する進捗ポイントの一例である。
【符号の説明】
【００３４】
１  データ記録装置
２  コピー元媒体
３  コピー先媒体
１１  データ入力部
１２  演算制御部
１３  データ出力部
１４  記憶部
１５  不揮発性メモリ
１６  データ記憶部
Ｌ１  コピーリスト
Ｐ１  進捗ポイント
【図１】
0004490375.tif 000002
【図２】
0004490375.tif 000003
【図３】
0004490375.tif 000004
【図４】
0004490375.tif 000005